(57)【特許請求の範囲】
【請求項１】
収納ボックス内の上下に電源部と増幅部とを備え、前記増幅部が、前面に増幅回路を形成して縦方向に支持されるプリント基板と、そのプリント基板を前面から覆う金属製の内ケースとからなるＣＡＴＶブースターの放熱構造であって、
前記電源部を、前記収納ボックスの後板に突設された複数のネジ止めボスによって前記後板から前方へ離して支持すると共に、前記増幅部の前記プリント基板も前記内ケースによって覆われた状態で前記後板から前方へ離して支持して、前記電源部と増幅部との裏側に互いに連通する空間を設ける一方、
前記収納ボックスに、前記空間を前記収納ボックスの上下で外部と連通させる透孔を夫々設けて、前記収納ボックス内に、前記空間を通過して前記収納ボックスを上下に貫通する通気路を形成したことを特徴とするＣＡＴＶブースターの放熱構造。
【請求項２】
前記収納ボックス内での前記プリント基板の支持を、前記後板に固定される前記内ケース内の前方寄りで前記プリント基板をネジ止め固定すると共に、前記プリント基板の裏側で前記内ケースの上板と下板とに複数のスリットを形成して行うことを特徴とする請求項１に記載のＣＡＴＶブースターの放熱構造。
【請求項３】
前記収納ボックス内での前記プリント基板の支持を、前記後板に突設された複数のネジ止めボスによって行うことを特徴とする請求項１に記載のＣＡＴＶブースターの放熱構造。
【発明の詳細な説明】
【０００１】
【発明の属する技術分野】
本発明は、ＣＡＴＶブースターにおいて、通電時に発生する熱を効果的に放熱させるための放熱構造に関する。
【０００２】
【従来の技術】
ＣＡＴＶブースターでは、収納ボックス内に、増幅回路や電源回路を構成するプリント基板が縦方向に支持されている。又、増幅回路や電源回路は通電により発熱するため、収納ボックスの側方等には、収納ボックス内を外気と連通させるスリットや透孔が形成されて、発生する熱を放熱可能としている。
【０００３】
【発明が解決しようとする課題】
ところが、現在の電子部品は、主にチップタイプになってプリント基板へ放熱されるのに加えて、増幅回路では、シールドのために収納ボックス内に設けた内ケースによってプリント基板を囲む二重構造とされることから、スリットや透孔のみでは、最も発熱量の多いプリント基板を充分冷却できない。特に最近は、ＣＡＴＶブースターの伝送帯域が、従来の７０〜２５０ＭＨｚ又は７０〜３００ＭＨｚから、７０〜５５０ＭＨｚ又は７０〜７７０ＭＨｚへと広くなり、又、伝送チャンネル数も従来の３２ｃｈから７３ｃｈへと増大していることで、消費電力が増大し、発熱量が益々多くなっている。従って、電子部品の劣化が進んで寿命が短縮化したり、プリント基板から伝わる熱によって収納ボックスが高温となり、ユーザーに不快感を与えたりしてしまう。
【０００４】
そこで、請求項１に記載の発明は、特にプリント基板に対して十分な放熱効果を得て、部品の劣化やユーザーの不快感を防止できるＣＡＴＶブースターの放熱構造を提供することを目的としたものである。
【０００５】
【課題を解決するための手段】
上記目的を達成するために、請求項１に記載の発明は、収納ボックス内の上下に電源部と増幅部とを備え、前記増幅部が、前面に増幅回路を形成して縦方向に支持されるプリント基板と、そのプリント基板を前面から覆う金属製の内ケースとからなるＣＡＴＶブースターの放熱構造であって、前記電源部を、前記収納ボックスの後板に突設された複数のネジ止めボスによって前記後板から前方へ離して支持すると共に、前記増幅部の前記プリント基板も前記内ケースによって覆われた状態で前記後板から前方へ離して支持して、前記電源部と増幅部との裏側に互いに連通する空間を設ける一方、前記収納ボックスに、前記空間を前記収納ボックスの上下で外部と連通させる透孔を夫々設けて、前記収納ボックス内に、前記空間を通過して前記収納ボックスを上下に貫通する通気路を形成したことを特徴とするものである。
請求項２に記載の発明は、請求項１の構成において、前記収納ボックス内での前記プリント基板の支持を、前記後板に固定される前記内ケース内の前方寄りで前記プリント基板をネジ止め固定すると共に、前記プリント基板の裏側で前記内ケースの上板と下板とに複数のスリットを形成して行うことを特徴とするものである。
請求項３に記載の発明は、請求項１の構成において、前記収納ボックス内での前記プリント基板の支持を、前記後板に突設された複数のネジ止めボスによって行うことを特徴とするものである。
【０００６】
【発明の実施の形態】
以下、本発明の実施の形態を図面に基づいて説明する。
図１は、ＣＡＴＶブースター（以下「ブースター」という）の長手方向の断面説明図で、通常図１のように壁等へ縦に取り付けられる。ブースター１は、本体ケース３と蓋ケース７とからなる金属製の収納ボックス２内に、増幅部８と電源部１３とを収納してなるもので、本体ケース３は、前面（図１の左側を前として説明する。以下同じ）を解放した箱状を呈し、蓋ケース７は、本体ケース３の前面を閉塞する断面コ字状を呈している。
増幅部８は、前面から装着した電子部品によって増幅回路を形成するプリント基板９と、そのプリント基板９を前面から覆って本体ケース３の後板４に固定される金属製の内ケース１０とからなり、プリント基板９は、裏側（ハンダ付け側）で後板４との間に空間１１を有するように、内ケース１０内の前方よりでネジ止め固定されている。１２は、内ケース１０から本体ケース３の下板６を貫通するように突設された複数の接栓である。
【０００７】
一方、電源部１３は、トランス等の部品を前面から装着したプリント基板１４からなり、このプリント基板１４も、本体ケース３の後板４に突設された複数のネジ止めボス１５，１５・・によって、裏側と後板４との間で空間１６を有するように後板４から離れて支持されている。
そして、本体ケース３の上板５と下板６、内ケース１０の上板１７と下板１８とには、透孔として夫々複数のスリット１９，１９・・が形成されている。これらのスリット１９は、図２にも示すように、ブースター１の長手方向で略直線上に位置するように形成され、このスリット１９により、本体ケース３の下板６の外部から本体ケース３及び内ケース１０内に進入し、更に内ケース１０内におけるプリント基板９裏側の空間１１を通って電源部１３のプリント基板１４裏側の空間１６に至り、上板５から外部へ抜ける通気路２０が形成されることになる。
【０００８】
以上の如く構成されたブースター１は、通電するとプリント基板９及び１４の電子部品が発熱し、プリント基板９，１４へ放熱される。こうしてプリント基板９，１４で熱が発生すると、プリント基板９，１４の周りの空気が暖められ、空気が下から上に流れる。ここで、収納ボックス２内には前述のように上下に貫通する通気路２０が形成されているから、図１，図２に点線矢印で示すように、空気が下方から本体ケース３内に進入し、更に内ケース１０内のプリント基板９の裏側及び電源部１３のプリント基板１４の裏側を通って本体ケース３の上方へ抜ける対流が生じ、この空気の対流によりプリント基板９，１４の熱が効果的に放熱され、プリント基板９，１４が冷却されることになる。
尚、シールド用の内ケース１０にスリット１９を設けているが、プリント基板９の裏側にとどまり、電子部品が付されるプリント基板９の前面は依然として内ケース１０で囲まれているから、増幅部８のシールドには影響を与えない。
【０００９】
このように上記形態によれば、収納ボックス２内に、プリント基板９，１４の裏側で空間１１，１６を形成する一方、本体ケース３に空間１１，１６を上下方向で外部と連通させるスリット１９を設けて、収納ボックス２を上下に貫通する通気路２０を形成したことで、発熱するプリント基板９，１４を効果的に冷却でき、電子部品の劣化の促進が防止可能となる。又、本体ケース３や蓋ケース７が高温にならないため、ユーザーの不快感も防止できる。
尚、上記形態では、増幅部８をシールドする内ケース１０が本体ケース３に固定される構造においてプリント基板９の裏側に通気路２０を形成しているが、図３の如く、電源部１３と同様に本体ケース３の後板４に突設したネジ止めボス２１，２１・・によってプリント基板９を浮かせて支持し、その前方のみにシールド用の内ケース１０を取り付けた形態であっても、同様にプリント基板９の裏側に空間１１及び通気路２０が形成できる。
又、スリットは角孔や丸孔に代えても良いし、本体ケース３や蓋ケース７の側板に通気路２０に連通するスリットや角孔等を設けても差し支えない。
【００１０】
【発明の効果】
請求項１に記載の発明によれば、電源部を、収納ボックスの後板に突設された複数のネジ止めボスによって後板から前方へ離して支持すると共に、増幅部のプリント基板も内ケースによって覆われた状態で後板から前方へ離して支持して、電源部と増幅部との裏側に互いに連通する空間を設ける一方、収納ボックスに、前記空間を収納ボックスの上下で外部と連通させる透孔を夫々設けて、収納ボックス内に、空間を通過して収納ボックスを上下に貫通する通気路を形成したことで、発熱するプリント基板を効果的に冷却でき、電子部品の劣化の促進が防止可能となる。又、収納ボックスが高温にならないため、ユーザーの不快感も防止できる。勿論プリント基板のシールドにも影響を与えない。
【図面の簡単な説明】
【図１】  ブースターの断面説明図である。
【図２】  蓋ケースを取り外したブースターを前面から見た説明図である。
【図３】  ブースターの変更例を示す断面説明図である。
【符号の説明】
１・・ブースター、２・・収納ボックス、３・・本体ケース、４・・後板、５・・上板、６・・下板、７・・蓋ケース、８・・増幅部、９，１４・・プリント基板、１０・・内ケース、１１，１６・・空間、１３・・電源部、１５，２１・・ネジ止めボス、１９・・スリット、２０・・通気路。
【図１】
0004331353.tif 000002
【図２】
0004331353.tif 000003
【図３】
0004331353.tif 000004